(57)【要約】【課題】  ボケた位置からピントが合うときのフォーカスの見え方がユーザーにとって従来に比べて画期的に違和感のない合焦動作を可能にすること。【解決手段】  被写体距離検出手段の出力結果に応じてフォーカスレンズの移動を加減速制御する。【選択図】  図３
2008058482.tif 000002
【特許請求の範囲】
【請求項１】
フォーカスレンズを介して形成される光学像を光電変換し信号を出力する撮像手段と、
前記フォーカスレンズを駆動させ合焦制御を行う合焦制御手段と、
現在の前記フォーカスレンズ位置からの被写体距離に対応する情報を検出する被写体距離検出手段と、
前記撮像手段から出力された信号から画像の鮮鋭度を検出する鮮鋭度検出手段とを備え、
前記合焦制御手段は、前記鮮鋭度検出手段の検出結果に基づいて合焦制御を行っている際、前記被写体距離検出手段の出力結果に応じて前記フォーカスレンズの移動を加減速制御することを特徴とする撮像装置。
【請求項２】
前記合焦制御手段は、前記被写体距離検出手段の出力結果に基づく前記フォーカスレンズの駆動制御において、移動距離によらず合焦までの時間が一定になるような加減速特性で速度制御することを特徴とする請求項１記載の撮像装置。
【請求項３】
前記合焦制御手段は、前記被写体距離検出手段の出力結果に基づく前記フォーカスレンズの駆動制御において、移動距離が異なっても合焦時のピントの見え方が一定になるような加減速特性で速度制御することを特徴とする請求項１記載の撮像装置。
【請求項４】
前記合焦制御手段は、前記被写体距離検出手段の出力結果に基づく前記フォーカスレンズの駆動制御において、加減速特性は移動距離を変数とした速度で制御することを特徴とする請求項２または請求項３記載の撮像装置。
【請求項５】
前記合焦制御手段は、前記被写体距離検出手段の出力結果に基づく前記フォーカスレンズの駆動制御において、加減速特性は予めメモリに記憶した速度データテーブルから得られた速度で制御することを特徴とする請求項２または請求項３記載の撮像装置。
【請求項６】
フォーカスレンズを介して形成される光学像を光電変換し信号を出力する撮像手段と、前記フォーカスレンズを駆動させ合焦制御を行う合焦制御手段と、現在の前記フォーカスレンズ位置からの被写体距離に対応する情報を検出する被写体距離検出手段と、前記撮像手段から出力された信号から画像の鮮鋭度を検出する鮮鋭度検出手段とを備える撮像装置の制御方法であって、
前記鮮鋭度検出手段の検出結果に基づいて合焦制御を行っている際、前記被写体距離検出手段の出力結果に応じて前記フォーカスレンズの移動を加減速制御することを特徴とする制御方法。
【発明の詳細な説明】
【技術分野】
【０００１】
本発明は、撮像装置における合焦制御技術に関する。
【背景技術】
【０００２】
図６は従来の撮像装置のシステム構成をブロック図で示したものである。
【０００３】
図６において、１０１は固定されている第１固定レンズ群、１０２は変倍を行う変倍レンズ群、１０３は絞りである。また、１０４は固定されている第２固定レンズ群である。また、１０５は焦点調節機能と変倍による焦点面の移動を補正するいわゆるコンペ機能を兼ね備えたレンズ群（以下、フォーカスコンペレンズと称す）である。また、１０６は撮像素子（ＣＣＤ）である。１１０は変倍レンズ群の駆動源であり、１１１はフォーカスコンペレンズの駆動源である。１０７はＣＣＤ１０６の出力を増幅するＡＧＣである。
【０００４】
１０８はカメラ信号処理回路であり、ＡＧＣ１０７からの出力信号を後述の記録装置１０９、表示機能をもつモニタ装置１１５に対応した信号に変換する。１０９は記録装置であり、動画や静止画を記録し、記録媒体として磁気テープや半導体メモリが使われている。
【０００５】
ＣＣＤ１０６の出力信号は、ＡＦゲート１１２を通過する。合焦のために最適な信号を取り出す範囲を全画面のうちから設定される。このゲートの大きさは可変であり、また複数設けられる場合もある。１１３は焦点検出に用いられる高周波成分及び輝度差成分（映像信号の輝度レベルの最大値と最小値の差分）を抽出するＡＦ信号処理回路である。１１４はＡＦ信号処理回路１１３の出力信号に基づいて、駆動源１１０、１１１を制御すると共に、１１６ズームスイッチの制御、カメラ信号処理回路１０８の出力信号を制御したり等を行うＡＦマイコンである。
【０００６】
図６のように構成されたカメラシステムにおいて、ＡＦマイコン１１４は、ＡＦ信号処理回路１１３の出力信号レベルが最大となるように、フォーカスコンペレンズ１０５を移動させることにより、自動焦点調節を行っている。
次に、オートフォーカス動作について説明する。
【０００７】
ビデオカメラのオートフォーカス（ＡＦ）装置は、ＴＶＡＦ方式が主である。被写体像を撮像素子等により光電変換して得られた映像信号から画面の鮮鋭度を検出し、その値、ＡＦ評価値が最大となるようにフォーカスレンズを移動制御して焦点調節を行うものである。
【０００８】
ＡＦ評価値としては、一般に、或る帯域のバンドパスフィルタにより抽出された映像信号の高周波成分を用いている。この映像信号の高周波成分は、通常、被写体像を撮影した場合、図７のようにそのＡＦ評価値が最大になる点が合焦位置となる。
【０００９】
ＡＦマイコン１１４による動画撮影時のＴＶＡＦ制御について図８を用いて説明する。
【００１０】
図８において、動画ＡＦ処理を開始する（ステップ３０１）。まず、フォーカスレンズ１０５を微小駆動する（ステップ３０２）。
【００１１】
次に、その微小駆動により合焦したか否かを判別する（ステップ３０３）。その結果、合焦していなければ、上記の微小駆動により合焦方向を判別できたか否かを判別する（ステップ３０４）。その結果、合焦方向を判別できなかった場合は、ステップ３０２に戻る。一方、合焦方向を判別できた場合は、ステップ３０５の山登り駆動により、ＡＦ評価値が大きくなる方向へ高速でフォーカスレンズ１０５を移動させる。
【００１２】
次に、山登り駆動によりＡＦ評価値がピークを越えたか否かを判別する（ステップ３０６）。その結果、ピークを越えていなければ、ステップ３０５に戻り、山登り駆動を継続する。一方、ピークを越えた場合は、山登り駆動中のＡＦ評価値のピークに戻すためにフォーカスレンズ１０５を逆方向に駆動する（ステップ３０７）。そして、ＡＦ評価値がピークに達したか否かを判別する（ステップ３０８）。その結果、ピークに達していない場合は、ステップ３０７に戻り、ＡＦ評価値のピークに戻す動作を継続する。一方、ピークに達している場合は、ステップ３０２に戻り、フォーカスコンペレンズ１０５を微小駆動することにより、次の動画の合焦位置をサーチする。
【００１３】
ステップ３０３にて、合焦したと判別された場合は、フォーカスコンペレンズ１０５を停止し（ステップ３１３）、合焦した際のＡＦ評価値を記憶しておき（ステップ３０９）、再起動判定の処理部分に入る。ステップ３０９で格納した前回のＡＦ評価値とステップ３１０で取得した今回のＡＦ評価値とを比較し、所定レベル以上の差があれば再起動する必要があると判定する（ステップ３１１）。
【００１４】
その結果、再起動する必要があると判定された場合は、ステップ３０２に戻り、微小駆動動作を再開する。一方、再起動する必要がないと判定された場合は、フォーカスコンペレンズ１０５をそのまま停止した状態で維持し（ステップ３１２）、以後の動画に対応するため、ステップ３１０へ戻り、再起動判定処理を継続する。
【００１５】
以上のように、カメラＡＦマイコン１１４は、再起動判定→微小駆動→山登り駆動→微小駆動→再起動判定を繰り返しながら、フォーカスコンペレンズ１０５を駆動制御することにより、ＡＦ評価値を常に最大にするように制御する構成となっている。
【００１６】
外部測距センサを用いるＡＦ方式では、パッシブ方式として、図９、図１０に示すような原理を用いる方法がある。外部測距センサは、第１、第２と二つの光路をもち、それぞれ結像用レンズと受光素子列をもつ。第一と第二の光路を通って結像した２つの被写体像信号を各受光素子列から読み出し、演算により２つの信号の相関を演算する。何画素シフトで相関が最大になるかを演算することにより、このシフト量に基づき、三角測量の原理で、測距情報を取得できる。
【００１７】
この演算原理は、図９に示す通り、相関が最大になるシフト量Ｘを演算し、既知の焦点距離ｆと２光路用光学系間の距離Ｂから、比例計算で、被写体までの距離Ｌが算出できる。また、アクティブ方式としては、超音波センサを用いて伝搬速度を測定する方式とコンパクトカメラによく使用される赤外線センサを用いて三角測量する方式がある。
【００１８】
また、銀塩フィルムによる一眼レフカメラに多く用いられている方式として、位相差検出方式がある。位相差検出方式では、撮影レンズの射出瞳を通過した光束を２分割し、２分割した光束を一組の焦点検出用センサによりそれぞれ受光する。その受光量に応じて出力される信号のズレ量、すなわち、光束の分割方向の相対的位置ズレ量を検出する。これにより撮影レンズのピント方向のズレ量を直接求めるものである。従って、焦点検出用センサにより一度蓄積動作を行えばピントズレの量と方向が得られる。その結果、高速な焦点調節動作が可能となっている。但し、撮影レンズの射出瞳を通過した光束を２分割し、それぞれの光束に対応する信号を得るためには、焦点検出用光学系とセンサを２系統設けるのが一般的である。
【００１９】
外部測距方式もしくは位相差検出方式とＴＶＡＦ方式とを組み合わせた装置が特許文献１、２において提案されている。これらは、位相差検出方式を用いて、合焦位置までの距離と方向を算出し、合焦位置までレンズを移動させ、ＴＶＡＦ方式を用いてピントズレの補正を行う焦点調整装置である。
【００２０】
また、特許文献３においては、位相差検出方式による距離情報とＴＶＡＦ方式におけるＡＦ評価値の変化に応じて再起動処理を制御する方法が提案されている。合焦位置との距離差が大きい場合にＡＦ評価値の変化量の大きさに応じてフォーカスの駆動速度を切替える制御方法が示されている。
【００２１】
次に、外部測距方式もしくは位相差検出方式とＴＶＡＦ方式とを組み合わせた撮像装置のシステムについて説明する。
【００２２】
システム構成は、図６に示したＴＶＡＦ方式のシステムに対して外部測距ユニット１２６が設けられており、後に示す本発明のシステム構成図（図１）と同じである。外部測距ユニットは、アクティブ方式ないしはパッシブ方式等を用いて、被写体までの距離を測定し、その距離情報を出力する。ＡＦマイコン１１４は、外部測距ユニット１２６からの出力結果を基に、現在の変倍レンズ群１０２とフォーカスコンペレンズ１０５の位置と、現在のレンズ位置において合焦する距離情報とを比較して、ズレ量およびズレ方向を算出する。
【００２３】
次に、この構成において、ＡＦ動作のアルゴリズムを図１１に、また、そのうちの再起動処理のアルゴリズムは図１２に示す。
【００２４】
図１１においては、合焦位置にあると判断されて、レンズ停止（ステップ３１２）し、再起動をするか否かのためにステップ３０９においてＡＦ評価値を取得するまでは、上記に説明したＴＶＡＦ方式と同様である。
【００２５】
図１２において、再起動処理が開始されると、ステップ１２０１において１２６外部測距ユニットにより検出される位相差情報を取得する。その検出結果により、ステップ１２０２において、現在のレンズ位置に対して、被写体距離に合焦させるためのズレ量、ズレ方向を演算する。その演算結果により、ステップ１２０３において、ズレ量フィルタ演算を行う。これは、一時的と想定される出力情報、つまりノイズ成分を除外するような演算をし、その情報を結果に出力する。次に、ＡＦ評価値を取得する（ステップ１２０４）。
【００２６】
二つの検出結果が得られたら、まずステップ１２０５において、ステップ１２０３で演算して求められたズレ量による判定を行う。ここで、ズレ量がある所定しきい値よりも大きい場合、現状の合焦位置が大きくズレているために、通常の微小駆動（図１１ステップ３０２）、および山登り駆動（図１１ステップ３０５）と行っていると時間がかかってしまう。そこで、ズレ量からフォーカスレンズ移動量を演算し（ステップ１２０６）、レンズ駆動を行う（ステップ１２０７）。その後、再起動処理を終了し、図１１ステップ３０２の微小駆動に移行する。
【００２７】
逆に、ズレ量がある所定しきい値よりも小さい場合には、次にＡＦ評価値の変動をみて（ステップ１２０８）、ＡＦ評価値の変動がある所定しきい値よりも大きい場合は、合焦点からのズレ自体は小さい。そのため、レンズ位置をズレ量に合わせて移動させると、映像がふらついてしまう可能性がある。したがって、通常どおり、再起動により微小駆動（図１１ステップ３０２）を行うようにする。ただしここで、少しでも早い合焦位置へと移動を促すため、ＴＶＡＦ処理におけるレンズの動き出し方向を設定する。そのため、ズレ方向によるレンズ駆動方向決定へ移行する（ステップ１２０９）。ズレ方向が、至近側であれば、レンズの動き出し方向を至近側へ（ステップ１２１０）設定する。一方、無限側であれば、動き出し方向を無限側へ（ステップ１２１１）へ設定する。そして、再起動処理を終了し、図１１ステップ３０２の微小駆動に移行する。
【００２８】
また、ステップ１２０８でＡＦ評価値の変動がある所定しきい値よりも小さい場合は、合焦状態から変わっていないと判断し、フォーカスレンズ位置を現状維持し（ステップ１２１２）、ステップ１２０１に戻って再起動判別の処理を繰り返す。これが、再起動処理のアルゴリズムである。
【特許文献１】特開平５−６４０５６号公報
【特許文献２】特開２００２−２５８１４７号公報
【特許文献３】特開２００５−８４４２４号公報
【発明の開示】
【発明が解決しようとする課題】
【００２９】
しかしながら、距離情報に基づいて合焦位置に移動する際は高速に行う。一方、映像信号に基づいて合焦させるときは、ＴＶＡＦのアルゴリズムのまま合焦動作を行う。そのため，ボケた位置からピントが合うときのフォーカスの見え方として、違和感を生じる場合があった。
【課題を解決するための手段】
【００３０】
上記の課題を解決するため、本発明の撮像装置は、フォーカスレンズを介して形成される光学像を光電変換し信号を出力する撮像手段と、前記フォーカスレンズを駆動させ合焦制御を行う合焦制御手段と、現在の前記フォーカスレンズ位置からの被写体距離に対応する情報を検出する被写体距離検出手段と、前記撮像手段から出力された信号から画像の鮮鋭度を検出する鮮鋭度検出手段とを備え、前記合焦制御手段は、前記鮮鋭度検出手段の検出結果に基づいて合焦制御を行っている際、前記被写体距離検出手段の出力結果に応じて前記フォーカスレンズの移動を加減速制御する。
【００３１】
また、本願発明の制御方法は、フォーカスレンズを介して形成される光学像を光電変換し信号を出力する撮像手段と、前記フォーカスレンズを駆動させ合焦制御を行う合焦制御手段と、現在の前記フォーカスレンズ位置からの被写体距離に対応する情報を検出する被写体距離検出手段と、前記撮像手段から出力された信号から画像の鮮鋭度を検出する鮮鋭度検出手段とを備える撮像装置の制御方法であって、前記鮮鋭度検出手段の検出結果に基づいて合焦制御を行っている際、前記被写体距離検出手段の出力結果に応じて前記フォーカスレンズの移動を加減速制御する。
【発明の効果】
【００３２】
本願発明に拠れば、ボケた位置からピントが合うときのフォーカスの見え方がユーザーにとって従来に比べて画期的に違和感のない合焦動作を可能にする。
【発明を実施するための最良の形態】
【００３３】
本発明を適用した撮像装置の実施形態について説明する。図１は第１の実施形態における撮像装置のシステム構成を示すブロック図である。ここで、従来の技術の項で説明した構成要素と同一の構成要素には同一の符号を用いて簡単に説明する。
【００３４】
１０１は固定されている第１固定レンズ群、１０２は変倍を行う変倍レンズ群、１０３は絞り、１０４は固定されている第２固定レンズ群である。また、１０５は焦点調節機能と変倍による焦点面の移動を補正するいわゆるコンペ機能を兼ね備えたレンズ群（以下、フォーカスコンペレンズと称す）である。また、１０６は撮像素子（ＣＣＤやＣＭＯＳなど）である。１１０は変倍レンズ群の駆動源である。１１１はフォーカスコンペレンズの駆動源である。１０７は撮像素子１０６の出力を増幅するＡＧＣである。
【００３５】
１０８はカメラ信号処理回路であり、ＡＧＣ１０７からの出力信号を後述の記録装置１０９、表示機能をもつモニタ装置１１５に対応した信号に変換する。１０９は記録装置であり、動画や静止画を記録し、記録媒体としては磁気テープや半導体メモリ、光ディスクなどが使われている。
【００３６】
撮像素子１０６の出力信号は、ＡＦゲート１１２を通過し、合焦のために最適な信号を取り出す範囲を全画面のうちから設定される。このゲートの大きさは可変であり、また複数設けられる場合もある。１１３は焦点検出に用いられる高周波成分及び輝度差成分（映像信号の輝度レベルの最大値と最小値の差分）を抽出するＡＦ信号処理回路である。１１４はＡＦ信号処理回路１１３の出力信号に基づいて、駆動源１１０、１１１を制御すると共に、１１６ズームスイッチの制御、カメラ信号処理回路１０８の出力信号を制御したり等を行うＡＦマイコンである。
【００３７】
さらに、外部測距ユニット１２６が設けられている。外部測距ユニットによるＡＦ方式としては、従来からアクティブ方式、パッシブ方式等が用いられており、被写体までの距離を測定し、その距離情報を出力する。その出力結果と、ＡＦマイコン１１４は、現在の変倍レンズ群１０２とフォーカスコンペレンズ１０５の位置をもとに、現時点における合焦状態までのズレ量およびズレ方向を算出する。
【００３８】
次に、上記構成による再起動処理において、合焦位置までの距離に応じてレンズ駆動方法を変えたＡＦアルゴリズムについて図２を用いて説明する。
【００３９】
ここで、再起動処理を除く微小駆動及び山登り駆動の処理については、図１１に示した従来技術と同様である。
【００４０】
再起動処理が開始されると、ステップ２０１において１２６外部測距ユニットにより検出される距離情報を取得する。その検出結果により、ステップ２０２において、現在のレンズ位置に対して、被写体距離に合焦させるためのズレ量、ズレ方向を演算する。その演算結果により、ステップ２０３において、ズレ量フィルタ演算を行う。これは、一時的と想定される出力情報、つまりノイズ成分を除外するような演算をし、その情報を結果に出力する。次に、ＡＦ評価値を取得する（ステップ２０４）。
【００４１】
ステップ２０３のズレ量フィルタ演算処理には、つぎのようなものがある。ズレ量の結果を出力するといった演算方法がある。ズレ量のほか、ズレ量にローパスフィルタをかけた結果、またはズレ量における前回と今回との差分情報の変化結果でもよい。またはそのズレ量が基準値を超えた結果の所定時間における平均値、もしくは積分値でもよい。さらに、ある所定時間において、被写体距離が変化しつづけていると判断されるであろうときに、蓄積演算する時間を延長するといった方法がある。また、一時的に被写体距離が元に戻る場合、もしくは永続的に元に戻る場合を考えて、変化が連続し始めているとき、一時的に変化が戻った場合は、蓄積演算する時間を延長する。これにより、被写体距離情報をもとに所定時間における変化量を判断材料にすることにより、中抜け等の誤動作を防止することができる。ＡＦ評価値の変動だけでは、被写体距離が変化したために合焦位置がズレたのかどうか、それとも中抜けにより一時的に被写体が変化してしまったのかどうかを判断出来ないところの対策である。
【００４２】
ズレ量とＡＦ評価値の二つの検出結果が得られたら、まず、ステップ２０５において、ズレ量フィルタ演算処理（ステップ２０３）の結果がある所定しきい値よりも大きいかどうかを判断する。ここで、ズレ量がある所定しきい値よりも大きい場合、合焦点からのズレが大きいと判断する。そのズレ量すなわち現在のレンズ位置と距離情報に基づく被写体距離の差に応じて、図３に示すような加減速速度を設定する（ステップ２０６）。次に、ステップ２０７おいて、ステップ２０６で設定した速度に基づいてレンズを駆動する。そして、再起動処理を終了し、微小駆動に移行する。
【００４３】
逆に、ズレ量がある所定しきい値よりも小さい場合には、次にＡＦ評価値の変動をみる（ステップ２０８）。ＡＦ評価値の変動がある所定しきい値よりも大きい場合は、合焦点からのズレ自体は小さい。そのため、レンズ位置をズレ量に合わせて移動させると、映像がふらついてしまう可能性がある。そのため、通常どおり、再起動により微小駆動を行うようにする。ここで、少しでも早い合焦位置へと移動を促すため、ＴＶＡＦ処理におけるレンズの動き出し方向を設定するため、ズレ方向によるレンズ駆動方向決定へ移行する（ステップ２０９）。ズレ方向が、至近側であれば、レンズの動き出し方向を至近側へ（ステップ２１０）設定する。一方、無限側であれば、動き出し方向を無限側へ（ステップ２１１）へ設定する。そして、再起動処理を終了し、微小駆動に移行する。
【００４４】
また、ＡＦ評価値の変動がある所定しきい値よりも小さい場合は、合焦状態から変わっていないと判断し、フォーカスレンズ位置を現状維持し（ステップ２１２）、再起動判別処理を繰り返す。これが、本発明における再起動処理のアルゴリズムである。
【００４５】
ここで、図３に示す速度設定方法について説明する。ズレ量が小さい時（Ａ）は加速／減速も小さく、途中の一定速度も遅い速度を設定する。一方、ズレ量が大きい時（Ｃ）は加速／減速も大きく、さらに途中の一定速度も速い速度を設定する。この結果、距離情報に基づく被写体合焦位置までのフォーカスレンズの移動時間が、ズレ量の大きさに関わらず一定の時間で駆動できるようになる。なお、加減速及び最高速の速度は、ズレ量すなわち移動距離から計算して求めても良いし、あるいは、予め速度データをテーブルデータとしてメモリに記憶しておき、そのテーブルデータを参照することによって速度を決めても良い。
【００４６】
（実施例２）
第１の実施形態では、ズレ量によらず合焦位置までのフォーカス移動時間が同じになるように、レンズを駆動制御する方法について説明した。これに対して、第２の実施形態では、フォーカスレンズを駆動する際に、ピントの見え方がズレ量によらず一定になるようにレンズを駆動制御する方法について説明する。
【００４７】
本実施形態における撮像装置のシステム構成は、図１に示した第１の実施形態のシステム構成と同じである。
【００４８】
次に、本実施形態における再起動処理において、ピントの見え方が一定になるようにレンズ駆動制御したＡＦアルゴリズムについて図４を用いて説明する。
【００４９】
ここで、再起動処理を除く微小駆動及び山登り駆動の処理については、第１の実施形態と同様である。
【００５０】
再起動処理が開始されると、ステップ４０１において１２６外部測距ユニットにより検出される距離情報を取得する。その検出結果により、ステップ４０２において、現在のレンズ位置に対して、被写体距離に合焦させるためのズレ量、ズレ方向を演算する。その演算結果により、ステップ４０３において、ズレ量フィルタ演算を行う。次に、ＡＦ評価値を取得する（ステップ４０４）。
【００５１】
ステップ４０３のズレ量フィルタ演算処理は、第１の実施形態と同様、ズレ量の結果を出力するといった演算方法がある。
【００５２】
ズレ量とＡＦ評価値の二つの検出結果が得られたら、まず、ステップ４０５において、ズレ量フィルタ演算処理（ステップ４０３）の結果がある所定しきい値よりも大きいかどうかを判断する。ここで、ズレ量がある所定しきい値よりも大きい場合、合焦点からのズレが大きいと判断し、そのズレ量すなわち現在のレンズ位置と距離情報に基づく被写体距離の差によらず、図５に示すような所定の加減速速度を設定する（ステップ４０６）。次に、ステップ４０７において、ステップ４０６で設定した速度に基づいてレンズを駆動する。そして、再起動処理を終了し、微小駆動へ移行する。
【００５３】
逆に、ズレ量がある所定しきい値よりも小さい場合には、次にＡＦ評価値の変動をみる（ステップ４０８）。ＡＦ評価値の変動がある所定しきい値よりも大きい場合は、合焦点からのズレ自体は小さい。そのため、レンズ位置をズレ量に合わせて移動させると、映像がふらついてしまう可能性がある。そのため、通常どおり、再起動により微小駆動（図１１ステップ３０２）を行うようにする。ここで、少しでも早い合焦位置へと移動を促すため、ＴＶＡＦ処理におけるレンズの動き出し方向を設定する。そのため、ズレ方向によるレンズ駆動方向決定へ移行する（ステップ４０９）。ズレ方向が、至近側であれば、レンズの動き出し方向を至近側へ（ステップ４１０）設定する。一方、無限側であれば、動き出し方向を無限側へ（ステップ４１１）へ設定する。そして、再起動処理を終了し、微小駆動に移行する。
【００５４】
また、ＡＦ評価値の変動がある所定しきい値よりも小さい場合は、合焦状態から変わっていないと判断し、フォーカスレンズ位置を現状維持し（ステップ４１２）、再起動判別処理を繰り返す。これが、本実施形態における再起動処理のアルゴリズムである。
【００５５】
ここで、図５に示す速度設定方法について説明する。図３と異なり、加速／減速及び途中の一定速度は、ズレ量の大きさ（Ａ、Ｂ、Ｃ）によらず一定値とする。この結果、距離情報に基づく被写体合焦位置までのフォーカスレンズの移動時間は、ズレ量の大きさによって変化し、大きいほど長くなるが、合焦位置にピントが合う時のフォーカスの見え方は、ズレ量の大きさによらず同じ見え方にすることができる。なお、加減速及び最高速の速度は、フォーカスレンズのデフォーカス特性を考慮して計算して求めても良いし、あるいは、予め速度データをテーブルデータとしてメモリに記憶しておき、そのテーブルデータを参照することによって速度を決めても良い。
【図面の簡単な説明】
【００５６】
【図１】本発明を適用した撮像装置のシステム構成の一例を示すブロック図である。
【図２】第１の実施形態におけるアルゴリズムを示すフローチャートである。
【図３】第１の実施形態におけるフォーカスレンズの駆動制御方法である。
【図４】第２の実施形態におけるアルゴリズムを示すフローチャートである。
【図５】第２の実施形態におけるフォーカスレンズの駆動制御方法である。
【図６】撮像装置のシステム構成を示すブロック図である。
【図７】ＴＶＡＦ方式におけるオートフォーカスの原理を示すグラフである。
【図８】ＴＶＡＦ方式のアルゴリズムを示すフローチャートである。
【図９】三角測量の原理図である。
【図１０】相関演算の原理図である。
【図１１】外部測距方式とＴＶＡＦ方式とを組み合わせた撮像装置におけるＡＦアルゴリズムを示すフローチャートである。
【図１２】従来の外部測距方式とＴＶＡＦ方式とを組み合わせた撮像装置における再起動処理のアルゴリズムを示すフローチャートである。
【図１】
2008058482.tif 000003
【図２】
2008058482.tif 000004
【図３】
2008058482.tif 000005
【図４】
2008058482.tif 000006
【図５】
2008058482.tif 000007
【図６】
2008058482.tif 000008
【図７】
2008058482.tif 000009
【図８】
2008058482.tif 000010
【図９】
2008058482.tif 000011
【図１０】
2008058482.tif 000012
【図１１】
2008058482.tif 000013
【図１２】
2008058482.tif 000014